(57)【要約】【課題】ディスク再生装置においてパネル開口部に対する蓋のがたつきを防止し、かつパネル開口部に対して蓋の位置決めができるようにする。【解決手段】ディスク再生装置は、シャーシ２０と、開口部３１が設けられたパネル３０と、パネル３０に対してシャーシ２０を浮動状態で支持する弾性支持部４０と、シャーシ２０に取り付けられ、開口部３１を通って前後に移動可能に設けられたディスクトレイ５０と、ディスクトレイ５０に設けられ、開口部３１に収まる蓋６０と、蓋６０を前から見て、蓋６０の外縁に凸設された突起７０ａを備える。【選択図】図４
2010020884.tif 000002
【特許請求の範囲】
【請求項１】
シャーシと、
前記シャーシの前方に設けられ、開口部が設けられたパネルと、
前記パネルに対して前記シャーシを浮動状態にして前記シャーシを支持する弾性支持部と、
前記シャーシに取り付けられ、前記パネルの開口部を通って前後に移動可能に設けられたディスクトレイと、
前記ディスクトレイに設けられ、前記パネルの開口部に収まる蓋と、
前記蓋を前から見て、前記蓋の外縁に凸設された突起と、を備えることを特徴とするディスク再生装置。
【請求項２】
前記蓋を前から見て、前記蓋の中心を通った直線に関して前記突起の反対側において前記蓋の外縁に凸設された第二の突起と、を更に備えることを特徴とする請求項１に記載のディスク再生装置。
【請求項３】
前記蓋を前から見て、前記蓋の中心に関して前記突起の対称位置において前記蓋の外縁に凸設された第二の突起と、を更に備えることを特徴とする請求項１に記載のディスク再生装置。
【請求項４】
シャーシと、
前記シャーシの前方に設けられ、開口部が設けられたパネルと、
前記パネルに対して前記シャーシを浮動状態にして前記シャーシを支持する弾性支持部と、
前記シャーシに取り付けられ、前記パネルの開口部を通って前後に移動可能に設けられたディスクトレイと、
前記ディスクトレイに設けられ、前記パネルの開口部に収まり、前から見て多角形状の蓋と、
前記蓋を前から見て、前記蓋の外縁に凸設された複数の突起と、を備え、
前記複数の突起が前記蓋の外縁をなす各面に設けられていることを特徴とするディスク再生装置。
【請求項５】
前記開口部の内壁であって前記突起に対向する位置に溝が前後に延設され、前記突起が前記溝の後端部に当接することを特徴とする請求項１から４の何れかに記載のディスク再生装置。
【請求項６】
シャーシと、
前記シャーシの前方に設けられ、開口部が設けられたパネルと、
前記パネルに対して前記シャーシを浮動状態にして前記シャーシを支持する弾性支持部と、
前記シャーシに取り付けられ、前記パネルの開口部を通って前後に移動可能に設けられたディスクトレイと、
前記ディスクトレイに設けられ、前記パネルの開口部に収まる蓋と、
前記パネルの開口部の内壁に凸設された突起と、を備えることを特徴とするディスク再生装置。
【請求項７】
前記パネルの開口部を前から見て、前記パネルの開口部の中心を通った直線に関して前記突起の反対側において前記パネルの開口部の内壁に凸設された第二の突起と、を更に備えることを特徴とする請求項５に記載のディスク再生装置。
【請求項８】
前記パネルの開口部を前から見て、前記パネルの開口部の中心に関して前記突起の対称位置において前記パネルの開口部の内壁に凸設された第二の突起と、を更に備えることを特徴とする請求項５に記載のディスク再生装置。
【請求項９】
シャーシと、
開口部が設けられたパネルと、
前記パネルに対して前記シャーシを浮動状態にして前記シャーシを支持する弾性支持部と、
前記シャーシに取り付けられ、前記パネルの開口部を通って前後に移動可能に設けられたディスクトレイと、
前記ディスクトレイに設けられ、前記パネルの開口部に収まり、前から見て多角形状の蓋と、
前記パネルの開口部の内壁に凸設された複数の突起と、を備え、
前記パネルの開口部を前から見て、前記パネルの開口部が多角形状に形成され、
前記複数の突起が前記パネルの開口部の内壁の各面に設けられていることを特徴とするディスク再生装置。
【請求項１０】
前記蓋を前から見た前記蓋の外縁であって前記突起に対向する位置に溝が前後に延設され、前記突起が前記溝の前端部に当接することを特徴とする請求項６から９の何れかに記載のディスク再生装置。
【請求項１１】
請求項１から１０の何れかに記載のディスク再生装置であって、前記突起に、前記ディスクトレイの移動方向に対して傾斜した傾斜面が設けられていることを特徴とするディスク再生装置。
【発明の詳細な説明】
【技術分野】
【０００１】
本発明は、ディスク再生装置に関する。
【背景技術】
【０００２】
従来のディスク再生装置では、ディスクモーター、光ピックアップ及びディスクトレイ等がメカニズムシャーシに支持され、このメカニズムシャーシがメインシャーシに取り付けられている。ディスクトレイはフロントパネルの開口部から出入自在に移動でき、ディスクトレイの先端には、ディスクトレイパネルが設けられている。従来のディスク再生装置では、設計誤差及び取り付け誤差によりフロントパネルの開口部に対するディスクトレイパネルのセンタリングが容易にできない点、ディスクトレイパネルが開口部の内壁との間でがたつく点、メインシャーシに取り付けられたメカニズムシャーシががたつく点、等の問題があった。
【０００３】
そこでこのような問題を解決するべく、特許文献１又は特許文献２に記載の技術が採用されている。
特許文献１に記載の技術にあっては、メカニズムシャーシの前部及び後部を、それぞれメインシャーシに立設された第一のステーに固定し、メカニズムシャーシの前部を、前面パネルに立設された第二のステーに固定することによって、がたつき防止及び取り付け精度の向上を図っている。
特許文献２に記載の技術にあっては、側板がトレーの左右にそれぞれ取り付けられ、側板の前部をパネルに係止し、側板の後部が弾性材によりシャーシに取り付けられている。したがって、パネルに係止されたトレー前部を中心にトレー後部が上下に移動可能となっている。これによりトレーのがたつき、トレーとパネル開口部の隙間の不均一化を防止している。
【先行技術文献】
【特許文献】
【０００４】
【特許文献１】特開２００７−１０２９７６号公報
【特許文献２】特開昭６３−１７９４８９号公報
【発明の概要】
【発明が解決しようとする課題】
【０００５】
しかしながら、特許文献１に記載の技術では、ステーの設置自体のずれが発生するおそれがあり、特許文献２に記載の技術では、パネル開口部内壁とディスクトレイパネルとのがたつきの防止が不十分であった。
【０００６】
そこで本発明は、上記課題を解決しようとしてなされたものであり、パネル開口部に対する蓋のがたつきを防止し、かつパネル開口部に対して蓋の位置決めができるようにすることを課題とする。
【課題を解決するための手段】
【０００７】
以上の課題を解決するために、請求項１に記載のディスク再生装置は、シャーシと、前記シャーシの前方に設けられ、開口部が設けられたパネルと、前記パネルに対して前記シャーシを浮動状態にして前記シャーシを支持する弾性支持部と、前記シャーシに取り付けられ、前記パネルの開口部を通って前後に移動可能に設けられたディスクトレイと、前記ディスクトレイに設けられ、前記パネルの開口部に収まる蓋と、前記蓋を前から見て、前記蓋の外縁に凸設された突起と、を備えることを特徴とする。
【０００８】
請求項２に記載のディスク再生装置は、請求項１に記載のディスク再生装置であって、前記蓋を前から見て、前記蓋の中心を通った直線に関して前記突起の反対側において前記蓋の外縁に凸設された第二の突起と、を更に備えることを特徴とする。
【０００９】
請求項３に記載のディスク再生装置は、請求項１に記載のディスク再生装置であって、前記蓋を前から見て、前記蓋の中心に関して前記突起の対称位置において前記蓋の外縁に凸設された第二の突起と、を更に備えることを特徴とする。
【００１０】
請求項４に記載のディスク再生装置は、シャーシと、前記シャーシの前方に設けられ、開口部が設けられたパネルと、前記パネルに対して前記シャーシを浮動状態にして前記シャーシを支持する弾性支持部と、前記シャーシに取り付けられ、前記パネルの開口部を通って前後に移動可能に設けられたディスクトレイと、前記ディスクトレイに設けられ、前記パネルの開口部に収まり、前から見て多角形状の蓋と、前記蓋を前から見て、前記蓋の外縁に凸設された複数の突起と、を備え、前記複数の突起が前記蓋の外縁をなす各面に設けられていることを特徴とする。
【００１１】
請求項５に記載のディスク再生装置は、請求項１から４の何れかに記載のディスク再生装置であって、前記開口部の内壁であって前記突起に対向する位置に溝が前後に延設され、前記突起が前記溝の後端部に当接することを特徴とする。
【００１２】
請求項６に記載のディスク再生装置は、シャーシと、前記シャーシの前方に設けられ、開口部が設けられたパネルと、前記パネルに対して前記シャーシを浮動状態にして前記シャーシを支持する弾性支持部と、前記シャーシに取り付けられ、前記パネルの開口部を通って前後に移動可能に設けられたディスクトレイと、前記ディスクトレイに設けられ、前記パネルの開口部に収まる蓋と、前記パネルの開口部の内壁に凸設された突起と、を備えることを特徴とする。
【００１３】
請求項７に記載のディスク再生装置は、請求項５に記載のディスク再生装置であって、前記パネルの開口部を前から見て、前記パネルの開口部の中心を通った直線に関して前記突起の反対側において前記パネルの開口部の内壁に凸設された第二の突起と、を更に備えることを特徴とする。
【００１４】
請求項８に記載のディスク再生装置は、請求項５に記載のディスク再生装置であって、前記パネルの開口部を前から見て、前記パネルの開口部の中心に関して前記突起の対称位置において前記パネルの開口部の内壁に凸設された第二の突起と、を更に備えることを特徴とする。
【００１５】
請求項９に記載のディスク再生装置は、シャーシと、開口部が設けられたパネルと、前記パネルに対して前記シャーシを浮動状態にして前記シャーシを支持する弾性支持部と、前記シャーシに取り付けられ、前記パネルの開口部を通って前後に移動可能に設けられたディスクトレイと、前記ディスクトレイに設けられ、前記パネルの開口部に収まり、前から見て多角形状の蓋と、前記パネルの開口部の内壁に凸設された複数の突起と、を備え、前記パネルの開口部を前から見て、前記パネルの開口部が多角形状に形成され、前記複数の突起が前記パネルの開口部の内壁の各面に設けられていることを特徴とする。
【００１６】
請求項１０に記載のディスク再生装置は、請求項６から９の何れかに記載のディスク再生装置であって、前記蓋を前から見た前記蓋の外縁であって前記突起に対向する位置に溝が前後に延設され、前記突起が前記溝の前端部に当接することを特徴とする。
【００１７】
請求項１１に記載のディスク再生装置は、請求項１から１０の何れかに記載のディスク再生装置であって、前記突起に、前記ディスクトレイの移動方向に対して傾斜した傾斜面が設けられていることを特徴とする。
【発明の効果】
【００１８】
本発明によれば、パネルに収まった蓋のがたつきを突起により防止することができ、パネル開口部に対する蓋の位置決めも可能になる。
【図面の簡単な説明】
【００１９】
【図１】ディスク再生装置の背面斜視図である。
【図２】ディスク再生装置の正面斜視図である
【図３】ディスク再生装置の第１の実施形態の正面図である。
【図４】ディスク再生装置の前部であって、図３の切断線IV-IVに沿った面の矢視断面図である。
【図５】ディスク再生装置の左前の部分であって、図３の切断線V-Vに沿った面の矢視断面図である。
【図６】ディスク再生装置の第２の実施形態の正面図である。
【図７】ディスク再生装置の第３の実施形態の正面図である。
【図８】ディスク再生装置の前部であって、図７の切断線VIII-VIIIに沿った面の矢視断面図である。
【図９】ディスク再生装置の左前の部分であって、図７の切断線IX-IXに沿った面の矢視断面図である。
【図１０】ディスク再生装置の第４の実施形態においてディスクトレイ収納前の状態及びディスクトレイ収納後の状態を示した概略断面図である。
【図１１】ディスク再生装置の第５の実施形態においてディスクトレイ収納前の状態及びディスクトレイ収納後の状態を示した概略断面図である。
【発明を実施するための形態】
【００２０】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
【００２１】
＜第１の実施の形態＞
まず、本発明の第１の実施形態について説明する。図１は、ディスク再生装置１の背面、右側面及び上面を示した斜視図であり、図２は、ディスク再生装置１の正面、右側面及び上面を示した斜視図である。
【００２２】
図１及び図２に示すように、ディスク再生装置１は、メインシャーシ１０、シャーシ２０、パネル３０、弾性支持部４０、ディスクトレイ５０、蓋６０及び突起７０ａ〜７０ｆを備える。
【００２３】
パネル３０は、メインシャーシ１０の前縁部に垂直に設けられる板状部材である。パネル３０の中央部には左右に伸びた矩形状の開口部３１が設けられており、開口部３１はパネル３０の前面から背面に至る貫通した穴である。なお開口部３１は矩形状に限らず、楕円形状でも構わない。また、開口部３１は正方形その他の四角形であってもよいし、三角形、五角形その他の多角形でもよい。
【００２４】
パネル３０の後方において、４つの弾性支持部４０がメインシャーシ１０の上面に取り付けられている。シャーシ２０がこれらの弾性支持部４０の上に搭載されて、弾性支持部４０に支持されている。弾性支持部４０はゴム製のダンパであり、弾性支持部４０によってシャーシ２０がメインシャーシ１０及びパネル３０に対して浮動状態となっている。なお、弾性支持部４０によってシャーシ２０がパネル３０に対して浮動状態になっているのであれば、弾性支持部４０がパネル３０とシャーシ２０との間に介在していてもよい。また、弾性支持部４０はゴム製に限らず、巻きバネ、引張バネ、圧縮バネ、空気バネその他の弾性部材であってもよい。
【００２５】
シャーシ２０にはクランパ、ターンテーブル付きスピンドルモータ、ピックアップ等が設けられている。
また、シャーシ２０の上部にはディスクトレイ５０が取り付けられている。具体的には、ディスクトレイ５０とシャーシ２０との間の取付部分にガイド機構が設けられ、このガイド機構によってディスクトレイ５０がシャーシ２０に対して前後にスライド可能に設けられている。ディスクトレイ５０が前後にスライドするよう構成されているので、ディスクトレイ５０がパネル３０の後ろから開口部３１を通ってパネル３０の前に引き出るよう構成されているとともに、パネル３０の前から開口部３１を通ってパネル３０の後ろに引き込むよう構成されている。なお、ディスクトレイ５０はモータによって駆動されて前後にスライドする。
【００２６】
ディスクトレイ５０は板状の部材であって、メインシャーシ１０の上面に対して平行な状態となってシャーシ２０の上部に取り付けられている。ディスクトレイ５０の上面にはディスク受け部５１が形成されている。ディスク受け部５１には、ＣＤ等の板状の記録媒体が載置される。
【００２７】
蓋６０は、ディスクトレイ５０の先端に固定されている。ディスクトレイ５０が後に引き込まれてシャーシ２０の上部にある場合には、蓋６０が開口部３１に収まり、ディスクトレイ５０が開口部３１を通って前に引き出されている場合には、蓋６０が開口部３１から離れてパネル３０の前方にある。蓋６０は、前から見て開口部３１の相似形であり、開口部３１に容易に収まるように開口部３１よりも僅かに小さく形成されている。
【００２８】
蓋６０を正面から見て、蓋６０の外縁には突起７０ａ〜７０ｆが突出した状態に設けられている。具体的には、突起７０ａ及び７０ｂが蓋６０の上面６２に、突起７０ｃ及び７０ｄが蓋６０の下面６３に、突起７０ｅが蓋６０の右側面６４に、突起７０ｆが蓋６０の左側面６５に、凸設されている。突起７０ａと突起７０ｂは上面６２の左右両端部に配置されている。突起７０ｃと７０ｄは下面６３の左右両端部に配置されている。突起７０ｅは右側面６４の上下方向中央部に、突起７０ｆは左側面６５の上下方向中央部に配置されている。
【００２９】
ここで、蓋６０を正面から見て、突起７０ａと突起７０ｄは、蓋６０の中心Ａに関して対称となる位置に配置されている。同様に、突起７０ｂと突起７０ｃも点対称の位置にあり、突起７０ｅと突起７０ｆも点対称の位置にある。
【００３０】
また、蓋６０を正面から見て、突起７０ａと突起７０ｂは、蓋６０の中心Ａを通って左右に延びた中心線Ｂに関して突起７０ｃ，７０ｄの反対側にある。また、突起７０ｅが、蓋６０の中心Ａを通って上下に延びた中心線Ｃに関して突起７０ｆの反対側にある。
【００３１】
なお、正面から見て蓋６０の外縁に凸設された突起の数は本実施形態のように６つに限らず、１つであってもよいし、複数であってもよい。また、蓋６０の面６２〜６５のそれぞれに凸設された突起の数も１つであってもよいし、複数であってもよい。また、正面から見て蓋６０の外縁に凸設された突起の配置は、本実施形態に限るものではない。
【００３２】
続いて図４及び図５を参照して説明する。ここで図４はディスク再生装置１の前部であって、図３に示されたIV−IVの断面図、図５はディスク再生装置１の左前の部分であって、図３のV−Vの断面図である。
【００３３】
突起７０ａの後面７１ａは、突起７０ａの頂点から突起７０ａの付け根にかけて後方に向かって傾斜している。突起７０ｄ〜７０ｆの後面７１ｂ〜７１ｆも同様に傾斜している。
【００３４】
ディスクトレイ５０はディスクを挿入する前はシャーシ２０の上部に位置しており、蓋６０が開口部３１に収まった状態にある。
【００３５】
ユーザーがディスクを挿入する際には、開口部３１に収まっていた蓋６０がディスク再生装置１の前面に引き出され、これとともにディスクトレイ５０も開口部３１を通って前面に引き出される。
【００３６】
ユーザーがディスク受け部５１にディスクを置き、引き出されたディスクトレイ５０を再びディスク再生装置１の内部に戻したときは、ディスクトレイ５０は開口部３１を通ってシャーシ２０の上部に戻り、蓋６０は開口部３１に収まる。
【００３７】
開口部３１の前縁部が突起７０ａに設けられた後面７１ａに当接することで、蓋６０が後面７１ａに沿ってガイドされ、蓋６０と開口部３１とが中心を合わせるとともに、蓋６０は開口部３１に収まることができる。またこのとき蓋６０と開口部３１の中心のずれが大幅であっても、シャーシ２０が弾性支持部４０によって浮動状態になっているため、蓋６０が開口部３１に収まる位置にシャーシ２０及びディスクトレイ５０を移動できる。したがって、各部材に余計な負荷がかかることなくディスクトレイ５０はシャーシ２０上部に、蓋６０は開口部３１に収納される。
【００３８】
またディスクトレイ５０及び蓋６０が収納された後は、突起７０ａ〜７０ｆが開口部３１の内壁に当接する。これにより、蓋６０と開口部３１の中心をそろえることができるので、蓋６０の位置が片寄りなく保たれ美観を損なわない。また蓋６０と開口部３１との間のがたつきを防止することもできる。さらにこのとき、シャーシ２０に設けられた弾性支持部４０により、ディスク再生装置１の各部品に余計な負荷をかけることがない。さらに本実施形態によれば経年変化による両部品間の位置のずれに対しても、ディスクトレイ５０の開閉の度にセンタリングを行うことで、いつでも蓋６０が開口部３１の中心に位置することが可能である。
【００３９】
＜第２の実施の形態＞
次に、図６を参照して、本発明の第２の実施形態におけるディスク再生装置１Ａについて説明する。図６は、ディスク再生装置１Ａを示した正面図である。なお、ディスク再生装置１Ａの各部と、それに対応するディスク再生装置１の部分とに対して同一の符号を付す。
【００４０】
第１の実施形態においては、蓋６０に突起７０ａ〜７０ｆが設けられていたのに対し、第２の実施形態においては、蓋６０には突起７０ａ〜７０ｆが設けられていない。その代わり、第２の実施形態においては、４つの突起７０ｇ〜７０ｊが設けられている。４つの突起７０ｇ〜７０ｊは蓋６０の４つの角に突出した状態に設けられており、具体的には、突起７０ｇが蓋６０の上面６２と左側面６５が接する角に、突起７０ｈが蓋６０の上面６２と右側面６４が接する角に、突起７０ｉが蓋６０の下面６３と左側面６５が接する角に、突起７０ｊが下面６３と右側面６４が接する角に凸設されている。なお、蓋６０の４つの角に凸設された突起の数はいずれかの位置に一つであってもよいし、４つの角のそれぞれに複数ずつであってもよい。また、突起７０ｇ〜７０ｊの形状も本実施形態に限るものではない。
【００４１】
突起７０ｇの後面７１ｇは、突起７０ｇの頂点から突起７０ｇの付け根にかけて後方に向かって傾斜している。突起７０ｈ〜７０ｊの後面７１ｈ〜７１ｊも同様に傾斜している。
【００４２】
以上に説明したことを除いて、ディスク再生装置１Ａの各部と、それに対応するディスク再生装置１の部分とは同様に設けられている。なお、第１の実施形態と同様に、７０ａ〜７０ｆが設けられていてもよい。
【００４３】
本実施形態により、上述の第１の実施形態と同様の効果を奏する。
【００４４】
＜第３の実施の形態＞
図７〜９を参照して第３の実施形態におけるディスク再生装置１Ｂについて説明する。図７は第３の実施形態のディスク再生装置１Ｂの正面図である。図８はディスク再生装置１Ｂの前部であって、図７に示されたVIII−VIIIの断面図、図９はディスク再生装置１Ｂの左前の部分であって、図７のIX−IXの断面図である。なお、ディスク再生装置１Ｂの各部と、それに対応するディスク再生装置１の部分とに対して同一の符号を付す。また、図７においては蓋６０を図示していない。
【００４５】
第１の実施形態においては、蓋６０に突起７０ａ〜７０ｆが設けられていたのに対し、第３実施形態においては、蓋６０には突起７０ａ〜７０ｆが設けられていない。その代わり、第３実施形態においては、突起７０ｋ，７０ｍ〜７０ｎ，７０ｐ〜７０ｒが開口部３１の内壁に突出した状態に設けられている。具体的には、突起７０ｋ及び突起７０ｍが開口部３１の内壁上面３２に、突起７０ｎ及び突起７０ｐが開口部３１の内壁下面３３に、突起７０ｑが開口部３１の内壁右側面３４に、突起７０ｒが開口部３１の内壁左側面３５に、凸設されている。突起７０ｋと突起７０ｍは内壁上面３２の左右両端に配置されている。突起７０ｎと突起７０ｐは内壁下面３３の左右両端に配置されている。突起７０ｑは内壁右側面３４の上下方向中央部に、突起７０ｒは内壁左側面３５の上下方向中央部に配置されている。
【００４６】
ここで、開口部３１を正面から見て、突起７０ｋと突起７０ｐは、開口部３１の中心Ｄに関して対称位置にあり、突起７０ｑと突起７０ｒも点対称の位置にある。
【００４７】
また、開口部３１を正面から見て、突起７０ｋと突起７０ｍは、開口部３１の中心Ｄを通って左右に延びた中心線Ｅに関して突起７０ｎ，７０ｐの反対側にある、また、突起７０ｑが、開口部３１の中心Ｄを通って上下に延びた中心線Ｆに関して突起７０ｒの反対側にある。
【００４８】
なお、開口部３１の内壁に凸設された突起の数は本実施形態のように６つに限らず、１つであってもよいし、複数であってもよい。また、開口部３１の内壁面３２〜３５のそれぞれに凸設された突起の数も１つであってもよいし、複数であってもよい。また、開口部３１の内壁に凸設された突起の配置は本実施形態に限るものではない。また、第１の実施形態や第２の実施形態と組み合わせてもよい。
【００４９】
突起７０ｋの後面７１ｋは、突起７０ｋの頂点から突起７０ｋの付け根にかけて前方に向かって傾斜している。突起７０ｍ〜７０ｎ，７０ｐ〜７０ｒの後面７１ｍ〜７１ｎ，７１ｐ〜７１ｒも同様に傾斜している。
【００５０】
以上に説明したことを除いて、ディスク再生装置１Ｂの各部と、それに対応するディスク再生装置１の部分とは同様に設けられている。
【００５１】
本実施形態により、上述の第１の実施形態及び第２の実施形態と同様の効果を奏することができる。
【００５２】
＜第４の実施の形態＞
図１０を参照して第４の実施形態におけるディスク再生装置１Ｃについて説明する。図１０は第４の実施形態のディスク再生装置１Ｃの前部であって、ディスクトレイ５０がパネル３０の前方に引き出された状態及びディスクトレイ５０がディスク再生装置１Ｃ内に収まった状態を表した概略断面図である。なお、ディスク再生装置１Ｃの各部と、それに対応するディスク再生装置１の部分とに対して同一の符号を付す。
【００５３】
第４の実施形態においては、開口部３１の内壁上面３２であって突起７０ａに対向する位置に溝３６ａが設けられている。溝３６ａは内壁面３２〜３５において前後に延設している。溝３６ａの前端部はパネル３０の前面で開口し、後端部には突き当たりとしての当接面３７ａが形成され、突起７０ａが当接面３７ａに当接する。当接面３７ａは突起７０ａの後面７１ａに対して平行に形成され、当接面３７ａが突起７０ａを後方から押さえることができるように構成されている。また、溝３６ａの前後方向の長さは、蓋６０の前面６１から後面７１ａまでの前後方向の長さに等しい。溝３６ａの内周は突起７０ａとほぼ同じ形状に形成されている。
同様に、開口部３１の内壁下面３３であって突起７０ｃに対向する位置に溝３６ｃが設けられ、溝３６ｃがパネル３０の前面から後方に延設され、溝３６ｃの後端部に突き当たりとしての当接面３６ｃが形成されている。同様に、開口部３１の内壁面であって他の突起７０ｂ，７０ｄ，７０ｅ，７０ｆに対向する位置にも溝が形成されている。
なお、当接面３７ａ，３７ｃは突起７０ａ，７０ｃの後方への移動を制限することができれば後面７１ａ，７１ｃに対して平行に形成されていなくてもよい。また、溝３６ａ，３６ｃは突起７０ａ，７０ｃの前後方向以外の方向への移動を制限することができれば、突起７０ａ〜７０ｆと同じ形状に形成されていなくてもよい。
【００５４】
以上に説明したことを除いて、ディスク再生装置１Ｃの各部と、それに対応する第１の実施形態のディスク再生装置１の部分とは同様に設けられている。
【００５５】
ディスクトレイ５０がディスク再生装置１Ｃ内に引き込まれて蓋６０が開口部３１に収まる際、突起７０ａ，７０ｃはそれぞれに対応する溝３７ａ，３７ｃを通って、後面７１ａ，７１ｃが当接面３７ａ，３７ｃに当接する。突起７０ｂ，７０ｄ，７０ｅ，７０ｆもそれぞれに対応する溝に挿入される。
当接面３７ａ，３７ｃと後面７１ａ，７１ｃが当接することで蓋６０がそれ以上ディスク再生装置１Ｃ内に引き込まれないよう押さえることができ、これにより蓋６０の後方への移動が制限され、パネル３０と蓋６０とを面一に配置することができる。
また、溝３６ａ，３６ｃの内周は突起７０ａ，７０ｃとほぼ同じ形状に形成されているので、突起７０ａ，７０ｃが溝３６ａ，３６ｃの内周面に押さえられ、突起７０ａ，７０ｃの前後方向以外の方向への動きが制限される。これにより、蓋６０が開口部３１に対してセンタリングされると同時に、開口部３１内での蓋６０のがたつきを防止することができる。
【００５６】
＜第５の実施の形態＞
図１１を参照して第５の実施形態におけるディスク再生装置１Ｄについて説明する。図１１は第５の実施形態のディスク再生装置１Ｄの前部であって、ディスクトレイ５０がパネル３０の前方に引き出された状態及びディスクトレイ５０がディスク再生装置１Ｄ内に収まった状態を表した概略断面図である。なお、ディスク再生装置１Ｄの各部と、それに対応するディスク再生装置１Ｂの部分とに対して同一の符号を付す。
【００５７】
第５の実施形態においては、蓋６０の上面６２であって突起７０ｋに対向する位置に溝３６ｋが設けられている。溝３６ｋは蓋６０の上面６２〜６５において前後に延設している。溝３６ｋの後端部は蓋６０の背面で開口し、前端部には突き当たりとしての当接面３７ｋが形成され、突起７０ｋが当接面３７ｋに当接する当接面３７ｋは突起７０ｋの後面７１ｋに対して平行に形成され、当接面３７ｋが突起７０ｋを後方から押さえることができるよう構成されている。また、蓋６０の前面６１と当接面３７ｋとの間の前後方向の距離は、パネル３０の前面と後面７１ｋとの間の前後方向の距離に等しい。溝３６ｋの内周は突起７０ｋとほぼ同じ形状に形成されている。
同様に、蓋６０の下面６３であって突起７０ｎに対向する位置に溝３６ｎが設けられ、溝３６ｎが蓋６０の背面から前方に延設され、溝３６ｎの後端部に突き当たりとしての当接面３７ｎが形成されている。同様に、前から見て蓋６０の周面６２〜６５であって他の突起７０ｍ，７０ｐ，７０ｑ，７０ｒに対向する位置にも溝が形成されている。
なお、当接面３７ｋ，３７ｎは突起７０ｋ，７０ｎの後方への移動を制限することができれば後面７１ｋ，７１ｎに対して平行に形成されていなくてもよい。また、溝３６ｋ，３６ｎは突起７０ｋ，７０ｎの前後方向以外の方向への移動を制限することができれば、突起７０ｋ，７０ｎと同じ形状に形成されていなくてもよい。
【００５８】
以上に説明したことを除いて、ディスク再生装置１Ｄの各部と、それに対応する第３の実施形態のディスク再生装置１Ｂの部分とは同様に設けられている。
本実施形態により、上述の第４の実施形態と同様の効果を奏することができる。
【符号の説明】
【００５９】
２０  シャーシ
３０  パネル
３１  開口部
３６ａ，３６ｃ，３６ｋ，３６ｎ  溝
４０  弾性支持部
５０  ディスクトレイ
６０  蓋
７０ａ〜７０ｋ，７０ｍ〜７０ｎ，７０ｐ〜７０ｒ  突起
【図１】
2010020884.tif 000003
【図２】
2010020884.tif 000004
【図３】
2010020884.tif 000005
【図４】
2010020884.tif 000006
【図５】
2010020884.tif 000007
【図６】
2010020884.tif 000008
【図７】
2010020884.tif 000009
【図８】
2010020884.tif 000010
【図９】
2010020884.tif 000011
【図１０】
2010020884.tif 000012
【図１１】
2010020884.tif 000013